(57)【特許請求の範囲】
【請求項１】
パチンコ機前面の球皿に連通し、発射球一個分が通過可能な縦型のケース樋と、
該ケース樋の下端に位置し遊技板と平行な水平軸を中心に発射レールの発射部に向けて往復揺動すると共に、水平軸より上に形成した球止め部と、その球止め部の端から下にほぼＬ字型に切り込んだ形態であって発射球一個を抱き抱え得る大きさの球受け凹部とを有する供給制御部材と、からなり、
球止め部で球皿から流入する発射球を止めた姿勢から前記水平軸を中心に揺動して球受け凹部に発射球を載せ、その姿勢から反対向きに揺動して球受け凹部に載せた発射球を発射レールの発射部へ送り出すようにしたパチンコ機の発射球供給装置において、
送り出す発射球に遊技板と平行な成分の力を作用させる傾斜面を前記球受け凹部に形成してなることを特徴とするパチンコ機の発射球供給装置。
【発明の詳細な説明】
【０００１】
【産業上の利用分野】
本発明は、打球槌などの動作に連動して球皿の発射球（パチンコ球）を発射レールの発射部へ一個づつ送り出す発射球供給装置に関する。
【０００２】
【従来の技術】
従来の発射球供給装置として実公平４−３８８５９号がある。この発射球供給装置は、図５，図６に示すように、球皿ｃの終端に前面板ｒを介して連通する球入口ｄと、発射レールｓの発射部ｔに臨む球出口ｅとを設けてなる縦型のケース樋ｆと、前記ケース樋ｆの下端に遊技板ｕ面に対して平行に設けた水平軸ｇと、該水平軸ｇに軸支されケース樋ｆ内にあって発射レールｓに向かって往復揺動する供給制御部材ｈとからなる。供給制御部材ｈは、頂部に形成した球止め部ｊとその球止め部ｊの端から下にほぼＬ字型に切り込んだ球受け凹部ｋとを有し、往復揺動によって、ケース樋ｆの球通路ｉを球止め部ｊで開閉すると共に、球止め部ｊから外れて落下する発射球を球受け部ｋで受けて球出口ｅに放出する。この供給制御部材ｈは、前記水平軸ｇと平行に突設した係合ピンｍが連動レバーｎを介して打球槌に連係され、打球槌の発射動作毎に一回往復揺動する。
【０００３】
【発明が解決しようとする課題】
発射球は、打球槌で打たれる前に発射レールｓ上の発射部ｔで静止していなければ球飛びが安定しない。一方、発射球供給装置は、前記打球槌に連動して一分間に最高１００個程度の発射球を発射レール上に送り出すよう設定されており、従って、極短時間のうちに発射球を静止させる機能が要求される。
【０００４】
而して、従来の供給制御部材ｈの球止め部ｊは、球受け凹部ｋが遊技板ｕ面に対して平行になっているため、発射球が、図６矢示ｘのように遊技板ｕ面に向けて真っ直ぐな力で送り出される。従って、発射球は、先ず発射レールｓを乗り越えて遊技板ｕに衝突し、それが跳ね返って発射球供給装置側に戻り、遊技板ｕと発射球供給装置の間で暫く揺れ動く。そのため、発射球が静止するまで時間が掛かり過ぎ、球飛びが不安定になる場合があった。
【０００５】
本発明は、上記に鑑みなされたもので、その目的は、発射球を極短時間で静止させることが可能な発射球供給装置を提供することにある。
【０００６】
【課題を解決するための手段】
上記の目的を達成するため本発明は、パチンコ機前面の球皿に連通し、発射球一個分が通過可能な縦型のケース樋と、該ケース樋の下端に位置し遊技板と平行な水平軸を中心に発射レールの発射部に向けて往復揺動すると共に、水平軸より上に形成した球止め部と、その球止め部の端から下にほぼＬ字型に切り込んだ形態であって発射球一個を抱き抱え得る大きさの球受け凹部とを有する供給制御部材と、からなり、球止め部で球皿から流入する発射球を止めた姿勢から前記水平軸を中心に揺動して球受け凹部に発射球を載せ、その姿勢から反対向きに揺動して球受け凹部に載せた発射球を発射レールの発射部へ送り出すようにしたパチンコ機の発射球供給装置において、送り出す発射球に遊技板と平行な成分の力を作用させる傾斜面を前記球受け凹部に形成してなるパチンコ機の発射球供給装置を提供する。
【０００７】
【作用】
供給制御部材の球受け凹部に形成した傾斜面により、送り出される発射球には遊技板と平行な成分の力が作用する。そのため、供給制御部材から放出された発射球が遊技板に衝突しないか、或いは、従来より小さい力で衝突する。従って、発射レールに載ってから発射球供給装置と遊技板の間で揺れる時間が短くなって静止するまでの時間が短縮され、その結果球飛びが安定する。
【０００８】
【実施例】
以下に本発明の実施例を図面を参照しつつ説明する。なお、図１は発射球供給装置の斜視図、図２はパチンコ機の要部拡大断面図、図３は作動状態を示すパチンコ機の要部拡大断面図、図４はパチンコ機の正面図である。パチンコ機Ｐは、図４に示すように、ガラス扉枠１の下に前面板２があり、該前面板２に球皿３が取り付けられている。発射球供給装置４は、この前面板２の内側に球皿３の終端と関連配置されるもので、縦型のケース樋５を含む装置本体６と発射球を一個づつ送り出すための供給制御部材７とから概略構成される。
【０００９】
前記装置本体６は、取付基盤８と該取付基盤８の前面にビス止めされる樋基盤９との結合構造であって、取付基盤８前面に形成した縦長の窪み部１０と、樋基盤９の前面に突設した箱形のケース樋５によって発射球一個が通過可能な球通路１１が形成されている。取付基盤８には、前面板２の球開口１２を介して球皿３の終端と連通するように球入口１３が形成されており、球開口１２と球入口１３を介して球皿３とケース樋５が連通する。一方、樋基盤９のケース樋５には、下端前面に発射レールｓに対向する球出口１４が形成されている。また、ケース樋５は下端が開放状態になっており、該ケース樋５の下端に供給制御部材７が配設されている。なお、ケース樋５の前面には窓孔１５が開設され、さらに、取付基盤８には窪み部１０に連通するように上部に通気孔１６が形成されている。この窓孔１５と通気孔１６によりケース樋５内の通気性が向上するため、”ケース樋５内に付着したタールや埃などの汚れが湿気を含んで粘るようになりそれが発射球の流れを阻害する”というような弊害が改善できる。また、ケース樋５内で球詰まりが発生した場合、窓孔１５を通じて発射球の様子が確認でき、且つ、窓孔１５にドライバーなどを差し込めば詰まった発射球を動かせるため、そのような球詰まりのトラブル解消にも効果的である。
【００１０】
前記供給制御部材７は、遊技板ｕと平行にケース樋５の下端に架設した水平軸１７に揺動可能に軸承されている。供給制御部材７には、水平軸１７より上部に球止め部１８があり、水平軸１７より下に重錘部１９がある。球止め部１８の頂部は、ケース樋５の球出口１４の上端とほぼ同レベルの位置にあり、且つ、水平軸１７を中心とする弧状に形成されている。一方、重錘部１９は水平軸１７を中心とする弧状に形成されており、供給制御部材７を図２において時計回りに付勢する。また、重錘部１９には後述する連動レバー２０に係合する係合ピン２１が側面に突設されている。この供給制御部材７には球止め部１８の端から下にほぼＬ字型に切り込んだ形態の球受け凹部２２が形成されている。該球受け凹部２２は発射球を一個抱き抱え得る大きさであり、発射レールｓの発射部ｔから発射方向、すなわち、図２において手前から向こう側に向かう方向に漸次に迫り出し、且つ、同方向に若干下傾する傾斜面が形成されている。
【００１１】
而して、前記供給制御部材７の係合ピン２１には図１二点鎖線に示したように連動レバー２０の一端が係合している。該連動レバー２０は揺動軸２３の下に伸びるアーム２４が打球槌２５に係合しており、打球槌２５の発射動作に連動して揺動し、以て供給制御部材７の係合ピン２１を突き上げる。
【００１２】
次に発射球供給装置４の動作について説明する。通常、打球槌２５が静止している状態では、図１，図２のように、連動レバー２０の端が下がった位置にあり、供給制御部材７の球止め部１８がケース樋５の途中を塞いだ状態になっている。従って、球皿３から流入する発射球は供給制御部材７の球止め部１８に止められて停止している。
【００１３】
この状態で打球槌２５が傾動して発射準備位置に至ると、連動レバー２０が揺動して供給制御部材７の係合ピン２１を突き上げる。これにより、図３のように供給制御部材７の球止め部１８がケース樋５から退き、先頭の発射球が球受け凹部２２に載る。そして、打球槌２５が発射準備位置から勢い良く戻ると、連動レバー２０が元の位置に戻って供給制御部材７の突き上げを解除する。そうすると、球受け凹部２２にある発射球の重量と重錘部１９の付勢によって供給制御部材７が図２の初期位置に復動するため、球受け凹部２２の発射球が球出口１４を通って発射レールｓ上に放出される。このとき発射球には球受け凹部２２の傾斜によって遊技板ｕと平行な成分の力が作用するから発射レールｓの球飛び方向に若干振れる。そのため発射球供給装置４と遊技板ｕの間で揺れ動く発射球の運動が激減し、短時間の内に発射レールｓ上で安定するからそのまま直線的に転がって発射部ｔで静止する。一方、打球槌２５は発射モータ（図示せず）の駆動により再び発射準備位置に引かれて勢い良く戻り、発射部ｔにある発射球を打ち出す。もちろん、打球槌２５が発射準備位置に傾動したとき、前記と同じ要領で供給制御部材７が揺動して球受け凹部２２に発射球を載せ、打球槌２５が先の発射球を打ち出したと同時に次の発射球を発射レールｓ上に送り出すのである。
【００１４】
以上、本発明を実施例について説明したが、もちろん本発明は上記実施例に限定されるものではない。例えば、球受け凹部２２の傾斜方向は、図示したものと逆の方向であってもよい。また、供給制御部材７は連動レバー２０で駆動する構造に限定されるものではなく、打球槌２５に同期させてソレノイドやモータなどを作動させ、該ソレノイドなどの力で駆動するようにしてもよい。また、打球槌２５は、発射球を発射させる代表的な一手段として例示したものであり、発射球を発射させる機能があればどのような構造のものであってもよい。
【００１５】
【発明の効果】
本発明は、供給制御部材の球受け凹部に傾斜面を形成して送り出される発射球に遊技板と平行な成分の力を作用させるようにしたため、供給制御部材から放出された発射球が遊技板に衝突しないか、或いは、従来より小さい力で衝突する。従って、発射球が発射レールに載ってから発射球供給装置と遊技板の間で揺れ動く無駄な動作が少なくなって静止するまでの時間が大幅に短縮されるため、球飛びが安定する優れた効果がある。
【図面の簡単な説明】
【図１】  発射球供給装置の斜視図である。
【図２】  パチンコ機の要部拡大断面図である。
【図３】  作動状態を示すパチンコ機の要部拡大断面図である。
【図４】  パチンコ機の正面図である。
【図５】  従来技術を示す前面板裏面の要部斜視図である。
【図６】  従来技術を示すパチンコ機の要部拡大断面図である。
【符号の説明】
Ｐ  …パチンコ機
ｕ  …遊技板
ｓ  …発射レール
ｔ  …発射部
３  …球皿
４  …発射球供給装置
５  …ケース樋
７  …供給制御部材
１７…水平軸
１８…球止め部
２２…球受け凹部
【図１】
0003794032.tif 000002
【図２】
0003794032.tif 000003
【図３】
0003794032.tif 000004
【図４】
0003794032.tif 000005
【図５】
0003794032.tif 000006
【図６】
0003794032.tif 000007